(57)【要約】【課題】容易に保冷／保温用具を収納しあるいは取り外すことができる装着具を提供する。【解決手段】保冷部材あるいは保温部材を装着するための装着具は、（Ａ）第１の辺１１、第２の辺１２、第３の辺１３及び第４の辺１４を備えた本体部１０、（Ｂ）本体部１０の表面に備えられた第１収納部２０及び第２収納部３０、並びに、（Ｃ）固定用のベルトを着脱自在に取り付けるためのベルト取付部１５から構成されており、第１収納部２０及び第２収納部３０のそれぞれには開閉自在の開口部２１，３１が設けられており、第１収納部２０及び第２収納部３０は、第１収納部の開口部２１が本体部の第３の辺１３に対向し、第２収納部の開口部３１が本体部の第１の辺１１に対向するように、且つ、第１収納部の開口部２１と第２収納部の開口部３２が対向するように並置されている。【選択図】  図１
2009287141.tif 000002
【特許請求の範囲】
【請求項１】
保冷部材あるいは保温部材を装着するための装着具であって、
（Ａ）第１の辺、第２の辺、第３の辺及び第４の辺を備えた本体部、
（Ｂ）本体部の一方の面に備えられ、保冷部材あるいは保温部材を収納する第１収納部及び第２収納部、並びに、
（Ｃ）本体部の対向する第２の辺及び第４の辺のそれぞれに少なくとも２箇所、配置され、固定用のベルトを着脱自在に取り付けるためのベルト取付部、
から構成されており、
第１収納部及び第２収納部のそれぞれには、保冷部材あるいは保温部材を収納するための開閉自在の開口部が設けられており、
第１収納部及び第２収納部は、第１収納部の開口部が本体部の第３の辺に対向し、第２収納部の開口部が本体部の第１の辺に対向するように、且つ、第１収納部の開口部と第２収納部の開口部が対向するように並置されていることを特徴とする装着具。
【請求項２】
第１の辺に沿った本体部の部分は、芯材によって補強されていることを特徴とする請求項１に記載の装着具。
【請求項３】
第２の辺から突出した第１突出部、第４の辺から突出した第２突出部、第１突出部の先端部に取り付けられた第１ベルト部、及び、第２突出部の先端部に取り付けられ、第１ベルト部と係止する第２ベルト部を、更に備え、
第１突出部には、保冷部材あるいは保温部材を収納する第１ポケット部が設けられており、
第２突出部には、保冷部材あるいは保温部材を収納する第２ポケット部が設けられていることを特徴とする請求項１又は請求項２に記載の装着具。
【請求項４】
本体部の他方の面には、ウェストベルトを着脱自在に装着するためのウェストベルト装着部が備えられていることを特徴とする請求項１乃至請求項３のいずれか１項に記載の装着具。
【請求項５】
ウェストベルト装着部は、本体部の他方の面、及び、本体部の他方の面に取り付けられた取付部材から構成されており、本体部の他方の面と取付部材との間の隙間にウェストベルトを通すことを特徴とする請求項４に記載の装着具。
【請求項６】
収納部の内側には、収納部の内部を仕切るための仕切部材が取り付けられていることを特徴とする請求項１乃至請求項５のいずれか１項に記載の装着具。
【請求項７】
第１収納部には、更に、本体部の第１の辺に対向して、開閉自在の開口部が設けられていることを特徴とする請求項１乃至請求項６のいずれか１項に記載の装着具。
【請求項８】
第２収納部には、更に、本体部の第３の辺に対向して、開閉自在の開口部が設けられていることを特徴とする請求項１乃至請求項７のいずれか１項に記載の装着具。
【請求項９】
保冷部材あるいは保温部材を装着するための装着具であって、
（Ａ）第１の辺、第２の辺、第３の辺及び第４の辺を備えた本体部、
（Ｂ）本体部の一方の面に備えられ、保冷部材あるいは保温部材を収納する第１収納部及び第２収納部、並びに、
（Ｃ）本体部の対向する第２の辺及び第４の辺のそれぞれに少なくとも２箇所、配置され、固定用のベルトを着脱自在に取り付けるためのベルト取付部、
から構成されており、
第１収納部には、保冷部材を収納するための開閉自在の上部開口部、及び、保温部材を収納するための開閉自在の下部開口部が設けられており、
第２収納部には、保冷部材あるいは保温部材を収納するための開閉自在の上部開口部が設けられており、
第１収納部及び第２収納部は、第１収納部の上部開口部が本体部の第１の辺に対向し、第２収納部の上部開口部が本体部の第１の辺に対向するように、且つ、第１収納部の下部開口部と第２収納部の上部開口部が対向するように並置されていることを特徴とする装着具。
【請求項１０】
第１の辺に沿った本体部の部分は、芯材によって補強されていることを特徴とする請求項９に記載の装着具。
【請求項１１】
第２の辺から突出した第１突出部、第４の辺から突出した第２突出部、第１突出部の先端部に取り付けられた第１ベルト部、及び、第２突出部の先端部に取り付けられ、第１ベルト部と係止する第２ベルト部を、更に備え、
第１突出部には、保冷部材あるいは保温部材を収納する第１ポケット部が設けられており、
第２突出部には、保冷部材あるいは保温部材を収納する第２ポケット部が設けられていることを特徴とする請求項９又は請求項１０に記載の装着具。
【請求項１２】
本体部の他方の面には、ウェストベルトを着脱自在に装着するためのウェストベルト装着部が備えられていることを特徴とする請求項９乃至請求項１１のいずれか１項に記載の装着具。
【請求項１３】
ウェストベルト装着部は、本体部の他方の面、及び、本体部の他方の面に取り付けられた取付部材から構成されており、本体部の他方の面と取付部材との間の隙間にウェストベルトを通すことを特徴とする請求項１２に記載の装着具。
【請求項１４】
収納部の内側には、収納部の内部を仕切るための仕切部材が取り付けられていることを特徴とする請求項９乃至請求項１３のいずれか１項に記載の装着具。
【発明の詳細な説明】
【技術分野】
【０００１】
本発明は、保冷部材あるいは保温部材を装着するための装着具に関する。
【背景技術】
【０００２】
保冷部材あるいは保温部材を装着する装着具にあっては、防暑用あるいは防寒用として、目的に応じて、容易に保冷部材あるいは保温部材を収納し、あるいは、取り外すことができる構造であることが求められる。また、装着すべき保冷部材や保温部材の形状や数量等に柔軟に対応することができる構造であることも求められる。
【０００３】
例えば、実開平４−６４５１２号公報には、身体に接する側の布の外側に反射膜で形成された防水性の１以上のポケットを設け、該ポケット内に保冷部材または保温部材を収納する保冷・保温用衣服が開示されている。
【０００４】
【特許文献１】実開平４−６４５１２号公報
【発明の開示】
【発明が解決しようとする課題】
【０００５】
しかしながら、このような保冷・保温用衣服では、使用者の性別、年齢、身長、体重等によって多種の衣服を準備しなければならず、汎用性に乏しい。また、衣服であるが故に、使用する場所や部位への適用性、応用性にも乏しい。
【０００６】
従って、本発明の目的は、目的に応じて容易に保冷部材あるいは保温部材を収納し、あるいは、取り外すことができ、装着すべき保冷部材や保温部材の形状や数量等に柔軟に対応することができ、しかも、装着すべき部位や場所等への高い適用性、応用性を有する装着具を提供することにある。
【課題を解決するための手段】
【０００７】
上記の目的を達成するための本発明の第１の態様に係る装着具は、保冷部材あるいは保温部材を装着するための装着具であって、
（Ａ）第１の辺、第２の辺、第３の辺及び第４の辺を備えた本体部、
（Ｂ）本体部の一方の面に備えられ、保冷部材あるいは保温部材を収納する第１収納部及び第２収納部、並びに、
（Ｃ）本体部の対向する第２の辺及び第４の辺のそれぞれに少なくとも２箇所、配置され、固定用のベルトを着脱自在に取り付けるためのベルト取付部、
から構成されており、
第１収納部及び第２収納部のそれぞれには、保冷部材あるいは保温部材を収納するための開閉自在の開口部が設けられており、
第１収納部及び第２収納部は、第１収納部の開口部が本体部の第３の辺に対向し、第２収納部の開口部が本体部の第１の辺に対向するように、且つ、第１収納部の開口部と第２収納部の開口部が対向するように並置されていることを特徴とする。
【０００８】
上記の目的を達成するための本発明の第２の態様に係る装着具は、保冷部材あるいは保温部材を装着するための装着具であって、
（Ａ）第１の辺、第２の辺、第３の辺及び第４の辺を備えた本体部、
（Ｂ）本体部の一方の面に備えられ、保冷部材あるいは保温部材を収納する第１収納部及び第２収納部、並びに、
（Ｃ）本体部の対向する第２の辺及び第４の辺のそれぞれに少なくとも２箇所、配置され、固定用のベルトを着脱自在に取り付けるためのベルト取付部、
から構成されており、
第１収納部には、保冷部材を収納するための開閉自在の上部開口部、及び、保温部材を収納するための開閉自在の下部開口部が設けられており、
第２収納部には、保冷部材あるいは保温部材を収納するための開閉自在の上部開口部が設けられており、
第１収納部及び第２収納部は、第１収納部の上部開口部が本体部の第１の辺に対向し、第２収納部の上部開口部が本体部の第１の辺に対向するように、且つ、第１収納部の下部開口部と第２収納部の上部開口部が対向するように並置されていることを特徴とする。
【０００９】
本発明の第１の態様あるいは第２の態様に係る装着具において、第１の辺に沿った本体部の部分は、芯材によって補強されている構成とすることができる。ここで、本発明の第１の態様あるいは第２の態様に係る装着具にあっては、固定用のベルトとしての肩ベルト（ショルダーベルト）をベルト取付部に取り付けることで、リュックサック様の形状、形態となり、容易に装着具を使用者の背中に装着することができる。そして、この場合、使用者の首の後ろの下方に本体部の第１の辺が位置することになる。このような装着形態にあっては、第１の辺に沿った本体部の部分が芯材によって補強されていることで、保冷部材あるいは保温部材（これらを総称して、『保冷部材等』と呼ぶ場合がある）の重量によって装着具が撓む程度が軽減され、装着具を安定して装着することが可能となり、保冷性あるいは保温性が向上する。芯材を構成する材料として、プラスチック板；ステンレス鋼や形状記憶合金等の金属材料あるいは合金材料から成る線材、帯材あるいは板材；厚手のフェルト材等、広く周知の材料を挙げることができる。
【００１０】
上記の好ましい構成を含む本発明の第１の態様あるいは第２の態様に係る装着具においては、
第２の辺から突出した第１突出部、第４の辺から突出した第２突出部、第１突出部の先端部に取り付けられた第１ベルト部、及び、第２突出部の先端部に取り付けられ、第１ベルト部と係止する第２ベルト部を、更に備え、
第１突出部には、保冷部材あるいは保温部材を収納する第１ポケット部が設けられており、
第２突出部には、保冷部材あるいは保温部材を収納する第２ポケット部が設けられている形態とすることができる。このような第１突出部及び第２突出部を設けることによって、容易に、使用者の脇の下や胴部の側部を冷却し、あるいは又、保温することができる。尚、第１突出部及び第２突出部は、本体部と一体的に作製されていてもよいし、例えば本体部に縫い付けられていてもよいし、例えばファスナー等によって本体部に着脱自在に取り付けられていてもよい。ポケット部の上端部は、開閉自在の開口部となっている。そして、これらの開口部の口の部分を開け閉めするために、広く周知の係止部材を取り付けてもよい。係る係止部材として、例えば、面ファスナー、スナップファスナー、ボタン、バネホック、スナップボタンを挙げることができる。また、第１ベルト部と第２ベルト部とを係止するためには、例えば、面ファスナー、スナップファスナー、ボタン、バネホック、スナップボタンを用いればよい。
【００１１】
上述した好ましい構成を含む本発明の第１の態様あるいは第２の態様に係る装着具において、本体部の他方の面には、ウェストベルトを着脱自在に装着するためのウェストベルト装着部が備えられている構成とすることもできる。そして、この場合、ウェストベルト装着部は、本体部の他方の面、及び、本体部の他方の面に取り付けられた取付部材から構成されており、本体部の他方の面と取付部材との間の隙間にウェストベルトを通す構成とすることができる。このような構成を採用することで、使用者への装着具の密着性が向上し、結果として保冷性あるいは保温性が向上するし、ウェストベルトを極めて容易に着脱自在に装着することができる。尚、場合によっては、本体部の一方の面にウェストベルト装着部を設けてもよい。
【００１２】
以上に説明した各種の好ましい構成を含む本発明の第１の態様あるいは第２の態様に係る装着具において、収納部の内側には、収納部の内部を仕切るための仕切部材が取り付けられている構成とすることができる。尚、仕切部材が第１収納部の内側に取り付けられている形態、仕切部材が第２収納部の内側に取り付けられている形態、仕切部材が第１収納部及び第２収納部の内側に取り付けられている形態のいずれを採用してもよく、また、仕切部材の数も１以上であればよく、収納すべき保冷部材等の寸法、形状、数量等を考慮して、適宜、決定すればよい。このような構成によって収納部を最適な状態に区画化すれば、保冷部材等が、収納部の内部で移動することが無くなり、保冷部材等を安定して収納することができる。
【００１３】
更には、以上に説明した各種の好ましい構成、形態を含む本発明の第１の態様に係る装着具において、第１収納部には、更に、本体部の第１の辺に対向して、開閉自在の開口部が設けられている構成とすることができる。更には、以上に説明した各種の好ましい構成、形態を含む本発明の第１の態様に係る装着具において、第２収納部には、更に、本体部の第３の辺に対向して、開閉自在の開口部が設けられている構成とすることができる。これらの構成を採用することで、各収納部への保冷部材等の収納や、各収納部からの保冷部材等の取り外しを、より一層容易に行うことができる。
【００１４】
以上に説明した各種の好ましい構成、形態を含む本発明の第１の態様あるいは第２の態様に係る装着具（以下、これらを総称して、単に、『本発明の装着具』と呼ぶ場合がある）において、上述したとおり、肩ベルト（ショルダーベルト）をベルト取付部に取り付けることで、リュックサック様の形状、形態となり、使用者の背中を冷却し、あるいは、保温することができる。また、ウェストベルト装着部にウェストベルトを装着することで、使用者の腰及びその周辺を冷却し、あるいは保温することができる。尚、代替的に、ウェストベルトをベルト取付部に取り付けてもよい。本発明の装着具を、例えば、使用者の衣服の下に装着してもよいし（インナータイプ）、使用者の衣服の上に装着してもよい（アウタータイプ）。あるいは又、本発明の装着具を、椅子の背もたれに配置したり、チャイルドシートやチャイルドシートベッド、ゆりかご、頭の下に敷く枕、所謂抱き枕（寝具の一種であり、頭の下に敷くのではなく、抱くようにして使用するもの）、マット等の寝具、トラック等における仮眠用ベッドにて用いるマット等に装着して用いることもできる。また、本発明の装着具をリュックサックやナップザックの中に格納してもよいし、本発明の装着具をリュックサックやナップザックの背側に取り付けてもよい。更には、湯たんぽの代替品、座布団の代替品、犬や猫等の動物用保冷マットあるいは保温マットとして用いることもできる。
【００１５】
本体部や収納部、取付部材、突出部は、布製とすることができる。ここで、布材として、天然繊維あるいは合成繊維から成る織布や不織布等、広く周知の布材を用いることができる。あるいは又、本体部や収納部、取付部材、突出部を、皮革製やニット製とすることもできるし、メッシュ状の材料から作製することもできる。本体部や収納部、突出部の形状、大きさは、装着具の仕様に応じて、適宜、設定すればよい。本体部は４つの辺を有しているが、各辺は、線分から構成されていてもよいし、線分の組合せから構成されていてもよいし、曲線から構成されていてもよいし、線分と曲線の組合せから構成されていてもよい。即ち、本体部の外形形状は本質的に任意であるが、最も簡素な外形形状は矩形あるいは概ね矩形である。尚、本体部の外形形状によっては４つの辺の交点が明確でない場合があるが、このような場合、ベルト取付部とベルト取付部との間の本体部の外形線を辺とみなせばよい。少なくとも本体部の第２の辺及び第４の辺に沿って、収納部の縁部を本体部に縫い合わせることで、あるいは又、収納部の縁部を本体部に接着剤を用いて固定することで、収納部を本体部に取り付けることができる。
【００１６】
開閉自在の開口部には、開口部の口の部分を開け閉めするために、広く周知の係止部材を取り付ければよい。係る係止部材として、あるいは又、上述した仕切部材として、例えば、面ファスナー、スナップファスナー、ボタン、バネホック、スナップボタンを挙げることができる。
【００１７】
肩ベルトやウェストベルト、第１ベルト部、第２ベルト部として、広く周知のものを使用することができる。例えば、ナイロン繊維等の布製ベルト、閉じた環状のベルト、バックル等の嵌合部を備えたベルトを挙げることができる。ベルトを構成する素材は伸縮性を備えていてもよい。肩ベルトやウェストベルト、第１ベルト部、第２ベルト部の着脱方法も、広く周知の方法とすることができる。具体的には、例えば、肩ベルトの両端部に設けられた係止具を、本体部のベルト取付部に係止すればよい。ベルト取付部は、例えば、金属や合金、プラスチックから作製された円状あるいは三角形状、矩形状、「Ｄ」字状等の環状（リング状）の部材から構成すればよい。係止具として、例えば、外れ止め付きのフックや、カナビラを例示することができる。場合によっては、肩ベルトやウェストベルトの一端にズボン吊り金具と同様の金具を取り付け、係る金具によって本体部の縁部を挟むことにより着脱自在に取り付けてもよい。
【００１８】
収納部に収納される保冷部材あるいは保温部材として、スポンジ状の材料に水を吸水させ冷却あるいは加熱して用いる保冷／保温部材、水の蒸発による潜熱を用いた保冷部材、電流により発熱するヒーター部から成る保温部材、高分子のゲル状材料等を封入したパックを冷却あるいは加熱して用いる保冷／保温部材等、広く周知の保冷部材あるいは保温部材を用いることができる。保冷部材や保温部材の形状、数量等については、用途に応じて、適宜、選択すればよい。
【００１９】
あるいは又、保冷部材として、
（ａ）自己吸水性を有し、水を含んだ樹脂製発泡部材、及び、
（ｂ）該樹脂製発泡部材を収納する収納部材、
から構成された保冷部材を用いることもでき、このような保冷部材にあっては、使用時、樹脂製発泡部材に含まれた水を、固相状態、若しくは、液相及び固相状態とする。尚、便宜上、係る保冷部材を、『発泡部材タイプ・保冷部材』と呼ぶ。
【００２０】
ここで、収納部材は、防水性と通気性とを備えた材料から成る構成とすることができ、あるいは又、不透水性を有する材料から構成とすることができるが、要は、発泡部材タイプ・保冷部材に要求される仕様、使用用途等に応じて、どのような材料から構成するかを決定すればよい。
【００２１】
係る発泡部材タイプ・保冷部材において、樹脂製発泡部材を構成する材料として、ウレタンフォーム、メラミンフォーム、又は、ポリビニルアルコール（ＰＶＡ）スポンジを挙げることができる。より具体的には、例えば、株式会社イノアックコーポレーション製の商品名「コスミオン」といった、特殊イソシアネートプレポリマーを配合ベースとした親水性ウレタンフォーム、同社製の商品名「バソテクト」といったメラミンフォーム、同社製の商品名「モルトプレンＳＡＱ」といったエステル系ポリウレタンフォームを例示することができる。また、水には薬剤が含まれていることが好ましく、薬剤として抗菌剤、消臭剤を挙げることができる。尚、水として、水道水や井戸水等の水だけでなく、蒸留水、純水、イオン交換水、脱気した水を用いることもできる。収納部材は袋状であることが好ましい。ここで、収納部材には、樹脂製発泡部材を収納するための開口が設けられている構成とすることができる。そして、係る開口を介して樹脂製発泡部材に吸水させてもよいし、係る開口とは別に孔部を設け、係る孔部を介して樹脂製発泡部材に吸水させてもよい。また、必要に応じて、収納部材の開口を封止するための密閉手段を備えている構成とすることもできる。開口を封止するための密閉手段を有する収納部材として、ジッパーあるいはチャックの付いた再封可能な収納部材を挙げることができ、より具体的には、旭化成株式会社の登録商標「ジップロック」タイプの収納部材を挙げることができる。あるいは又、樹脂製発泡部材に吸水させた後、開口をヒートシール等によって封止してもよいし、開口を面ファスナーを用いて閉じてもよい。収納部材内において、樹脂製発泡部材は、水の移動を妨げること無く、複数の区画に分けられている構成とすることができる。樹脂製発泡部材を複数の区画に分けるためには、具体的には、例えば、収納部材及び樹脂製発泡部材を、粗く縫い合わせればよい。このように樹脂製発泡部材を複数の区画に分けることで、発泡部材タイプ・保冷部材を使用する際、発泡部材タイプ・保冷部材を所望の形状に容易に賦形することができる。
【００２２】
係る発泡部材タイプ・保冷部材を構成する樹脂製発泡部材は自己吸水性を有しているが、ここで、自己吸水性を有するとは、乾燥した樹脂製発泡部材（乾燥質量：Ｍ0）を水槽内の２０゜Ｃの水に静かに浮かべたとき、１８０秒以内に、乾燥質量Ｍ0の３０倍以上の水を、好ましくは、乾燥質量Ｍ0の５０倍以上の水を、一層好ましくは、乾燥質量Ｍ0の１００倍以上の水を樹脂製発泡部材が吸水することを意味する。あるいは又、自己吸水性を有するとは、乾燥した樹脂製発泡部材に２０゜Ｃの水を１ｃｍ3滴下したとき、３秒以内に滴下した水を樹脂製発泡部材が吸水し、樹脂製発泡部材の表面に水滴が残らないことを意味する。
【００２３】
収納部材は、その一態様にあっては、防水性と通気性とを備えた材料から成るが、具体的には、内部の水蒸気（気体）を外部に拡散させるが、内部の水（液体）は外部に透過させない性質を有する。係る材料として、無数の細孔を有する合成繊維の不織布を挙げることができるし、あるいは又、より具体的には、例えば、ジャパンゴアテックス株式会社製のゴアテックス（登録商標）メンブレンあるいはゴアテックス（登録商標）ファブリックを挙げることができる。収納部材を、更に、袋に格納してもよい。係る袋は、例えば合成繊維やガラス繊維、合成皮革、防水シートラミネート布、表面にラミネート層を形成した合成皮革、アルミニウム箔等の金属箔や金属フィルム等から作製すればよく、あるいは又、防水ラミネート構造材料から作製すればよい。また、収納部材は、別の態様にあっては、不透水性を有する材料から成るが、ここで、不透水性を有する材料とは、発泡部材タイプ・保冷部材の使用に際して収納部材の内部に存在する水が外部に漏れ出したり、滲み出たりせず、しかも、通気性を有していない材料を意味し、具体的には、係る材料として、水や水蒸気を通過させないプラスチック、防水シートラミネート布、表面にラミネート層を形成した合成皮革、アルミニウム箔等の金属箔や金属フィルムを例示することができる。袋や収納部材の外面の少なくとも一部に、赤外線や可視光、紫外線を反射する反射膜（例えば、アルミニウム粉末を含む塗装膜や、ラミネート反射膜）を形成してもよい。以下の表に、収納部材を構成する材料、収納部材の内部と外部の連通状態を纏めておく。
【００２４】
2009287141.tif 000003
【００２５】
発泡部材タイプ・保冷部材の形状や寸法は、特に限定するものではなく、用途に応じて、適宜、設定すればよく、例えば、厚さ数ｍｍ〜数十ｍｍ程度の板状とすることができる。発泡部材タイプ・保冷部材をシート状とする場合、収納部材内において、樹脂製発泡部材が水の移動を妨げること無く、複数の区画に分けられている構成とすれば、例えば、装着具を使用する場所や部位に合わせて、即ち、装着すべき部分の形状と相補的な適切な形状に賦形することが可能となる。
【００２６】
薬剤として、抗菌剤、清涼剤、芳香剤、殺菌剤、消臭剤を例示することができるが、中でも、上述したとおり、少なくとも抗菌剤を含むことが好ましい。これにより、収納部材の構成、構造にも依るが、発泡部材タイプ・保冷部材やその周辺に抗菌効果が及び、発泡部材タイプ・保冷部材周辺の環境を良好に保つことができるし、あるいは又、樹脂製発泡部材に吸収された水が腐敗することを防止することができる。抗菌剤として、周知の無機系抗菌剤や有機系抗菌剤を、適宜、選択して用いることができる。例えば、無機系抗菌剤として安定化二酸化塩素、二酸化塩素、次亜塩素酸ナトリウムや、塩化銅、硝酸銅、塩化銀、硝酸銀等の金属イオン化合物を挙げることができ、有機系抗菌剤として、化学合成した抗菌剤の他、杉の精油、キトサン、ヒノキチオール、わさびエキス、辛子エキス、木酢等、天然由来の抗菌剤を挙げることができる。これらの抗菌剤の中でも、抗菌剤として安定化二酸化塩素を用いた構成は、継続的な効果を得るのに好適である。即ち、安定化二酸化塩素は、重炭酸ソーダ等を安定化剤として用いて二酸化塩素を水中に安定に溶解、保持させたものであり、徐々に二酸化塩素が発生するので継続的な効果を得ることができる。樹脂製発泡部材をこれらの薬剤を含む水溶液等の溶液に浸漬したり、噴霧する等の周知の方法により、容易に樹脂製発泡部材に薬剤を含ませることができる。
【００２７】
水に塩化ナトリウム等の塩類を加えると水から氷に転移する温度が低下し、氷から水への相転移を遅らせることができるので、発泡部材タイプ・保冷部材の水に塩化ナトリウム等の塩類が含まれている構成とすることもできる。
【発明の効果】
【００２８】
本発明の装着具にあっては、容易に保冷部材あるいは保温部材を収納し、あるいは、取り外すことができるし、装着すべき保冷部材や保温部材の形状や数量等に柔軟に対応することができる。また、装着具に保冷部材が交換可能に収納されているので、保冷部材の保冷効果が低下した際に、随時、新たな保冷部材に交換し、容易に保冷効果を回復させることができる。しかも、衣服と異なり、いかなる部位、場所にも適用することができ、また、使用者の性別、年齢、身長、体重等によって多種の装着具を準備するといった必要もなく、高い汎用性を有し、また、使用する場所や部位への適用性、応用性も高い。
【００２９】
保冷部材として、上述した発泡部材タイプ・保冷部材を用いれば、含まれる水の潜熱、より具体的には、固相をなす水（氷）が液化する際の溶解熱や液相をなす水の気化熱により保冷効果を発揮する。そして、自己吸水性を有する樹脂製発泡部材を用いるので、多量の氷が含まれた状態で保冷部材等を使用することができる結果、長時間に亙り、高い保冷効果を維持することができる。また、例えば、長時間身体に装着し保冷効果が低下した場合であっても、身体から離して暫くの間、外気に晒すことにより、比較的短い時間で保冷部材等の温度が低下し、ある程度、保冷効果を回復させることができる。しかも、樹脂製発泡部材を、防水性と通気性とを備えた材料から成る収納部材に収納すれば、樹脂製発泡部材に含まれた水は蒸気となって収納部材を通過して外部に拡散するが、樹脂製発泡部材に含まれた水は収納部材を通過することが無い。従って、保冷部材が配置された環境を汚染することが無い。また、樹脂製発泡部材を、不透水性を有する材料から成る収納部材に収納すれば、樹脂製発泡部材に含まれた水が収納部材を通過して外部に拡散することがなくなり、樹脂製発泡部材に水を補給すること無しに繰り返し、保冷部材を使用することができる。また、水に薬剤、例えば抗菌剤を含ませれば、保冷部材やその周辺に抗菌効果が及び、保冷部材周辺の環境を良好に保つことができるし、あるいは又、樹脂製発泡部材に吸収された水が腐敗することを防止することができる。また、氷を含んだ樹脂製発泡部材は収納部材に収納されているので、樹脂製発泡部材が装着具を濡らすといった問題が生じることは無い。また、樹脂製発泡部材に含まれた水を凍らせるが、本発明者の実験によれば、保冷部材全体をマイナス５０゜Ｃ程度まで冷却しても、水が氷となる際の体積膨張によって、樹脂製発泡部材が変形したり、破損することはなかったし、収納部材に破損が生じることもなかった。
【発明を実施するための最良の形態】
【００３０】
以下、図面を参照して、実施例に基づき本発明を説明する。
【実施例１】
【００３１】
実施例１は、本発明の第１の態様に係る装着具に関する。実施例１の装着具の模式的な斜視図を図１に示し、実施例１の装着具を構成する本体部と収納部の模式的な分解斜視図を図２に示す。尚、図２においては、ベルト取付部等の図示を省略している。
【００３２】
実施例１の装着具１は、保冷部材あるいは保温部材を装着するための装着具である。ここで、以下においては、保冷部材をパック状の保冷部材５１であるとして説明する。実施例１の装着具１は、
（Ａ）第１の辺１１、第２の辺１２、第３の辺１３及び第４の辺１４を備えた本体部１０、
（Ｂ）本体部１０の一方の面（表面、おもてめん）に備えられ、保冷部材あるいは保温部材を収納する第１収納部２０及び第２収納部３０、並びに、
（Ｃ）本体部１０の対向する第２の辺１２及び第４の辺１４のそれぞれに少なくとも２箇所、配置され、固定用のベルトを着脱自在に取り付けるためのベルト取付部１５（１５Ａ，１５Ｂ，１５Ｃ，１５Ｄ，１５Ｅ，１５Ｆ）、
から構成されている。
【００３３】
そして、第１収納部２０及び第２収納部３０のそれぞれには、保冷部材あるいは保温部材を収納するための開閉自在の開口部２１，３１が設けられている。また、第１収納部２０及び第２収納部３０は、第１収納部２０の開口部２１が本体部１０の第３の辺１３に対向し、第２収納部３０の開口部３１が本体部１０の第１の辺１１に対向するように、且つ、第１収納部２０の開口部２１と第２収納部３０の開口部３１が対向するように並置されている。
【００３４】
また、第１収納部２０には、更に、本体部１０の第１の辺１１に対向して、開閉自在の開口部２３が設けられており、第２収納部３０には、更に、本体部１０の第３の辺１３に対向して、開閉自在の開口部３３が設けられている。
【００３５】
更には、収納部２０，３０の内側には、収納部２０，３０の内部を仕切るための仕切部材２５，３５が取り付けられている。
【００３６】
ここで、本体部１０は、ナイロン繊維から成る布材から作製されており、略矩形形状（より具体的には、長方形）を有する。即ち、本体部１０の外形形状は、４本の線分から構成されている。また、第１収納部２０及び第２収納部３０も、ナイロン繊維から成る布材から作製されている。そして、本体部１０の第２の辺１２及び第４の辺１４に沿って、収納部２０，３０の縁部を本体部１０に縫い合わせることで、収納部２０，３０は本体部１０に取り付けられている。
【００３７】
また、ベルト取付部１５（１５Ａ，１５Ｂ，１５Ｃ，１５Ｄ，１５Ｅ，１５Ｆ）は、金属から作製された円状の環状（リング状）の部材から構成されている。ここで、ベルト取付部１５Ａは本体部１０の第１の辺１１と第４の辺１４とが成すコーナー部付近に取り付けられており、ベルト取付部１５Ｂは本体部１０の第４の辺１４の略中央付近に取り付けられている。また、ベルト取付部１５Ｄは本体部１０の第１の辺１１と第２の辺１２とが成すコーナー部付近に取り付けられており、ベルト取付部１５Ｅは本体部１０の第２の辺１２の略中央付近に取り付けられている。更には、ベルト取付部１５Ｃは本体部１０の第４の辺１４と第３の辺１３とが成すコーナー部付近に設けられており、ベルト取付部１５Ｆは本体部１０の第２の辺１２と第３の辺１３とが成すコーナー部付近に設けられている。
【００３８】
開閉自在の開口部２１，３１，２３，３３には、開口部２１，３１，２３，３３の口の部分を開け閉めするために、面ファスナー２２，３２，２４，３４が取り付けられている。具体的には、開口部２１，３１，２３，３３の内側には、面ファスナー２２，３２，２４，３４が縫い付けられている。また、仕切部材２５，３５も面ファスナーから成り、仕切部材２５，３５は、収納部２０，３０の内側に縫い付けられている。
【００３９】
図１に示した状態にあっては、固定用のベルトとしての肩ベルト（ショルダーベルト）４０が、装着具１に着脱自在の取り付けられている。より具体的には、肩ベルト４０は、一対の肩ベルト４０Ａ，４０Ｂから構成されている。肩ベルト４０Ａ，４０Ｂは、例えばナイロン繊維から成る布材から作製されており、それらの両端部には外れ止め付きのフック（具体的には図示せず）が取り付けられている。そして、肩ベルト４０Ａの両端部は、本体部１０に設けられたベルト取付部１５Ａ，１５Ｂに、外れ止め付きのフックによって着脱自在に取り付けられている。同様に、肩ベルト４０Ｂの両端部は、本体部１０に設けられたベルト取付部１５Ｄ，１５Ｅに、外れ止め付きのフックによって着脱自在に取り付けられている。このように固定用のベルトとしての肩ベルト４０をベルト取付部１５に取り付けることで、リュックサック様の形状、形態となり、容易に装着具を使用者の背中に装着することができる。尚、本体部１０の第１の辺１１の部分が使用者の頭部側になるように、装着具１は背負われる。即ち、この場合、使用者の首の後ろの下方に本体部１０の第１の辺１１が位置することになる。
【００４０】
図１及び図２に示すように、使用者の頭部側となる本体部１０の辺に沿った部分（実施例１にあっては、本体部１０の第１の辺１１の部分）は、例えばプラスチック板から成る芯材１６によって補強されている。具体的には、本体部１０の第１の辺１１の部分は、芯材１６と重ねて縫い合わされている。尚、本体部１０の第２の辺１２及び第４の辺１４に対応する芯材１６の部分も、本体部１０及び第１収納部２０と重ねて縫い合わされているが、これに限るものではない。
【００４１】
装着具１には、更に、ウェストベルト４１が着脱自在に取り付けられている。ウェストベルト４１も、例えばナイロン繊維から成る布材から作製されており、両端部には外れ止め付きのフックが取り付けられている。そして、ウェストベルト４１の両端部は、本体部１０に設けられたベルト取付部１５Ｃ，１５Ｆに、外れ止め付きのフックによって着脱自在に取り付けられている。
【００４２】
図１に示すように、第１収納部２０は開口部２１，２３を備えており、第２収納部３０は開口部３１，３３を備えている。これらの開口部から、第１収納部２０及び第２収納部３０のそれぞれに、２つの保冷部材５１を収納する。そして、開口部２１，２３，３１，３３を閉じる。また、仕切部材２５，３５によって第１収納部２０、第２収納部３０の内部を区画することにより、２つの保冷部材５１が収納部２０，３０内で移動することが無くなり、保冷部材５１を安定して収納することができる。このように、容易に保冷部材５１を収納することができるし、取り外しは逆の手順で行うことができる。
【００４３】
また、使用者の頭部側となる本体部１０の辺に沿った部分（実施例１にあっては、本体部１０の第１の辺１１の部分）は、芯材１６によって補強されている。図３の（Ａ）及び（Ｂ）は、芯材１６による効果を説明するための模式図である。図３の（Ａ）に示すように、使用者の背中に装着された装着具１は、保冷部材５１の重量によって撓むように力を受ける。芯材１６を備えた構成にあっては、図３の（Ｂ）に示すように保冷部材５１の重量によって撓む程度が軽減され、装着具１の装着性をより向上させることができ、装着具を安定して装着することが可能となる結果、保冷性あるいは保温性が向上する。但し、例えば、保冷部材５１が軽く、保冷部材５１の重量によって撓む程度が少ない場合には、芯材１６を設けることは不要である。
【００４４】
図４の模式的な斜視図に示すように、実施例１の装着具１に、例えば、２つのヒーター部５３Ａ，５３Ｂを備えた保温部材５２を装着具１に収納することができる。尚、図４においては、肩ベルト４０とウェストベルト４１の図示を省略した。保温部材５２は、電流が流れることにより発熱する保温部材であり、平面状の第１のヒーター部５３Ａ及び第２のヒーター部５３Ｂを備えている。第１のヒーター部５３Ａには、電源からの配線５５が接続されており、例えば電池から電流が供給される。第２のヒーター部５３Ｂには、第１のヒーター部５３Ａに接続された配線５４を介して電流が供給される。上述したように、装着具１にあっては、第１収納部２０に開口部２１が設けられており、第２収納部３０に開口部３１が設けられており、開口部２１と開口部３１とは対向している。従って、開口部２１から第１収納部２０内に第１のヒーター部５３Ａを収納し、開口部３１から第２収納部３０内に第２のヒーター部５３Ｂを収納すればよい。開口部２１と開口部３１とが対向して設けられているので、第１のヒーター部５３Ａと第２のヒーター部５３Ｂとが配線５４で接続されていても、何ら問題なく収納し、あるいは、取り外すことができる。
【００４５】
このように、装着具にあっては、容易に保冷部材あるいは保温部材を収納し、あるいは、取り外すことができるし、保冷部材や保温部材の形状や数量等に柔軟に対応することができる。また、装着具に保冷部材は交換可能に収納されているので、保冷部材の保冷効果が低下した際に、随時、新たな保冷部材に交換し、容易に保冷効果を回復させることができる。しかも、衣服と異なり、いかなる部位、場所にも適用することができるし、使用形態に制限を受けることもなく、また、使用者の性別等によって多種の装着具を準備するといった必要もないし、高い汎用性を有し、また、使用する場所や部位への適用性、応用性も高い。
【００４６】
尚、実施例１の装着具にあっては、面ファスナー２４を省略して、開口部２３の部分を縫い合わせてもよいし、また、面ファスナー３４を省略して、開口部３３の部分を縫い合わせてもよい。また、面ファスナー３１を省略してもよい。後述する実施例２〜実施例４の装着具にあっても同様である。
【実施例２】
【００４７】
実施例２は、実施例１の変形である。実施例２の装着具が、実施例１の装着具と相違する点は、ウェストベルトの取り付け構造にある。
【００４８】
図５は、実施例２の装着具２を説明するための模式的な斜視図である。装着具２にあっては、本体部１０の他方の面（裏面）には、ウェストベルトを着脱自在に装着するためのウェストベルト装着部が備えられている。ここで、ウェストベルト装着部は、本体部１０の他方の面、及び、本体部１０の他方の面に取り付けられた取付部材６０から構成されており、本体部１０の他方の面と取付部材６０との間の隙間にウェストベルトを通す。尚、図５に示した実施例２の装着具２においては、実施例１において説明した肩ベルト４０の図示を省略している。但し、場合によっては、肩ベルト４０の使用は不要である。
【００４９】
図６は、実施例２の装着具２を構成する本体部１０と収納部２０，３０の模式的な分解斜視図である。尚、図６においても、ベルト取付部１５等の図示を省略した。図５及び図６に示すように、本体部１０には取付部材６０が重ねられている。基本的には、本体部１０と取付部材６０とを重ねた状態で、実施例１において説明したと同様の縫製処理がなされる。但し、実施例２においては、本体部１０と取付部材６０とを重ねた状態で、更に参照番号６１及び参照番号６２に示す部分を重ねて縫い合わせる。これにより、本体部１０、取付部材６０及び縫い合わせ部６１，６２により隙間６３が形成される。ウェストベルト４２は本体部１０と取付部材６０との間に設けられた隙間６３に挿入されている。ウェストベルト４２は、例えば伸縮性を備えた布材から作製されており、バックル（図示せず）を備えている。
【００５０】
図７は、実施例２の装着具２の使用方法を説明するための模式図であり、装着具を、使用者の衣服の下に装着したインナータイプの例である。使用者は、ウェストベルト４２を胴部に巻くことにより、装着具２を胴部（より具体的には、背中）に良好に密着させることができる。尚、参照番号７０は上着である。
【００５１】
尚、以上に説明した実施例２の装着具の基本的な構成、構造を、後述する実施例４、実施例５の装着具に適用することができる。
【実施例３】
【００５２】
実施例３は、実施例１あるいは実施例２において使用に適した保冷部材の一例に関する。この保冷部材は発泡部材タイプ・保冷部材である。即ち、発泡部材タイプ・保冷部材を組み立てる前の状態の模式図を図８に示すように、実施例３における発泡部材タイプ・保冷部材１１０（以下、単に、保冷部材１１０と呼ぶ）は、
（ａ）自己吸水性を有し、水を含んだ樹脂製発泡部材１１１、及び、
（ｂ）樹脂製発泡部材１１１を収納する収納部材１１２、
から構成されている。
【００５３】
ここで、樹脂製発泡部材１１１を、ウレタンフォーム、具体的には、特殊イソシアネートプレポリマーを配合ベースとした親水性ウレタンフォーム（株式会社イノアックコーポレーション製の商品名「コスミオンＮＬ−１」）とした。樹脂製発泡部材１１１の大きさを、縦×横×厚さ＝１３０×８０×２０（ｍｍ）とした。
【００５４】
また、収納部材１１２は、防水性と通気性とを備えた材料から成る。具体的には、収納部材１１２を不織布から作製した。ここで、収納部材１１２は袋状である。そして、収納部材１１２には、樹脂製発泡部材１１１を収納するための開口１１３が設けられている。開口１１３の部分を除き、収納部材１１２の周縁部はヒートシールされている。収納部材１１２には、開口１１３とは別に孔部１１４が設けられており、係る孔部１１４を介して樹脂製発泡部材１１１に吸水させる。
【００５５】
更には、水には薬剤が含まれている。薬剤は、安定化二酸化塩素、杉の精油等の抗菌剤である。尚、保冷部材１１０の用途に応じて、薬剤は、適宜、選択すればよい。
【００５６】
この保冷部材１１０の組み立てにあっては、収納部材１１２に設けられた開口１１３を介して、収納部材１１２内に樹脂製発泡部材１１１を収納した後、開口１１３をヒートシールすることで、開口１１３を閉鎖した。樹脂製発泡部材１１１の内部と外部は、孔部１１４を介して連通状態にある。次いで、所定の濃度の薬剤（抗菌剤）を含む水溶液を調製し、水溶液を満たした槽に、樹脂製発泡部材１１１を収納した収納部材１１２の全体を浸漬した。水溶液は、瞬時、孔部１１４を介して樹脂製発泡部材１１１に吸水された。３個の樹脂製発泡部材１１１の吸水状態の測定結果を以下の表１に示すが、乾燥質量をＭ0（単位：グラム）、吸水後の質量をＭ1（単位：グラム）で表す。乾燥した樹脂製発泡部材１１１に２０゜Ｃの水を１ｃｍ3滴下したとき、３秒以内に滴下した水を樹脂製発泡部材１１１が吸水し、樹脂製発泡部材１１１の表面には水滴が残らなかった。尚、薬剤の濃度は、保冷部材１１０の用途に応じて好適に設定すればよい。こうして得られた水を含んだ保冷部材１１０を、マイナス２０度に設定された冷凍庫内にて冷却（冷凍）し、樹脂製発泡部材１１１に含まれた水を、固相状態（氷）、若しくは、液相及び固相状態（氷と水が混在した状態）とする。即ち、使用時、樹脂製発泡部材１１１に含まれた水を、固相状態、若しくは、液相及び固相状態とする。より具体的には、固相状態とした。水が氷となる際の体積膨張によって、樹脂製発泡部材１１１や収納部材１１２が破損することはなかった。
【００５７】
そして、こうして得られた、樹脂製発泡部材に含まれた水が固相状態（氷）となった保冷部材１１０を、図１に示した、収納部２０，３０に収納した。
【００５８】
実際の装着具の使用に際しては、水を含んだ保冷部材１１０を収納部２０，３０に収納した装着具を、マイナス１８゜Ｃに維持された冷凍庫内にて冷却（冷凍）し、以て、樹脂製発泡部材１１１に含まれた水を、固相状態、若しくは、液相及び固相状態とする。そして、このような状態となった装着具を冷凍庫から取り出し、使用すればよい。装着具を、例えば、ハンガー等に掛けた状態で冷凍庫内にて冷却（冷凍）すれば、冷凍庫から取り出し、直ちに使用に供することができる。例えば、装着具を消防服の下に装着する形態とすれば、消防士の出動時、直ちに、多量の氷を含んだ保冷部材が保持された装着具を消防服と共に装着することができるし、装着具をレジャー用ベストやゴルフベストの代替とすれば、顧客の要望に応じて、直ちに、多量の氷を含んだ装着具を供し、あるいは又、貸し出すことができる。
【００５９】
比較のために、同じ大きさのウレタンフォーム（但し、自己吸水性を有していないウレタンフォームであり、株式会社イノアックコーポレーション製の商品名「カラーフォームＥＭＭ」）を用いて、実施例３と同様にして、３つの保冷部材を比較例３として作製した。尚、比較例３にて使用したウレタンフォームは容易に吸水しなかったので、手でウレタンフォームを圧縮した状態として、水中に沈め、元の大きさに開放することで、ウレタンフォームを吸水させた。また、乾燥したウレタンフォームに２０゜Ｃの水を１ｃｍ3滴下したとき、３秒が経過した後にも、ウレタンフォームの表面に水滴のまま残っていた。比較例３の保冷部材のＭ0及びＭ1の値を、表１に掲げておく。
【００６０】
［表１］
Ｍ0           Ｍ1            Ｍ1／Ｍ0
実施例３−Ａ      １．２        ２１８．５      １８２
実施例３−Ｂ      １．２        １９８．０      １６５
実施例３−Ｃ      １．２        １９８．０      １６５
比較例３−Ａ      ４．５          ９８．０        ２１．８
比較例３−Ｂ      ４．５        １０１．０        ２２．４
比較例３−Ｃ      ４．５        １０１．０        ２２．４
【００６１】
比較例３の保冷部材にあっては、Ｍ1／Ｍ0の値は、実施例３のＭ1／Ｍ0の値の約０．１３倍しかない。即ち、比較例３の保冷部材にあっては、実施例３の保冷部材１１０よりも、単位体積当たり、非常に少ない水を含んでいるに過ぎない。また、実施例３のウレタンフォームと比較例３のウレタンフォームの断面を顕微鏡観察し、１．５ｍｍ×２．０ｍｍの領域内に気泡が、どの程度、含まれているかを測定したところ、実施例３のウレタンフォームにあっては３８０〜５２０個、比較例３のウレタンフォームにあっては３４〜４８個であった。また、他の樹脂製発泡部材においても同様の気泡の数を測定したところ、１．５ｍｍ×２．０ｍｍの領域内に１００個以上の気泡が含まれているとき、保冷部材における樹脂製発泡部材として適していることが判明した。一方、１．５ｍｍ×２．０ｍｍの領域内に含まれる気泡の数が１万を越えると、１つの気泡の大きさが小さくなりすぎ、水の浸入量が減少する結果、樹脂製発泡部材全体に含まれる水の量が減少する傾向にあるので、余り好ましくない。
【００６２】
保冷部材１１０を、更に、袋に格納してもよい。係る袋は、例えば合成繊維やガラス繊維から作製（例えば縫製）すればよく、あるいは又、防水ラミネート構造材料から作製すればよい。袋の外面の少なくとも一部に、赤外線や可視光、紫外線を反射する反射膜を形成すれば、太陽光等の外光を反射することができ、保冷部材の温度上昇を遅らせることができる。
【００６３】
あるいは又、実施例３の変形例として、保冷部材を、不透水性を有する材料から成る収納部材に、直接、格納してもよい。係る収納部材は、例えば、防水ラミネート構造材料から作製（例えば縫製）されている。係る収納部材の外面の少なくとも一部に、赤外線や可視光、紫外線を反射する反射膜を形成すれば、太陽光等の外光を反射することができ、保冷部材の温度上昇を遅らせることができる。そして、不透水性を有する材料から成る収納部材にあっては、樹脂製発泡部材を収納するための開口が設けられている。開口の部分を除き、収納部材の周縁部はヒートシールされている。収納部材には、開口とは別に孔部を設け、係る孔部を介して樹脂製発泡部材に、蒸留水、純水、イオン交換水、脱気した水を吸水させてもよい。あるいは又、開口を介して樹脂製発泡部材に吸水させてもよく、この場合には、ジッパーあるいはチャックの付いた収納部材を用いることで開口を開閉自在に封止してもよいし、開口をヒートシール等によって封止してもよい。
【００６４】
このように、多量の氷を含んだ樹脂製発泡部材１１１にあっては、先ず、氷の融解熱による保冷効果を発揮し、時間を経て氷が液化した後は、水の気化熱によって保冷効果を発揮する。そして、樹脂製発泡部材１１１にあっては、多量の氷を含ませた状態で用いることができるので、長時間、保冷効果を維持することができる。尚、樹脂製発泡部材１１１を、不透水性を有する材料から成る収納部材に収納すれば、樹脂製発泡部材１１１に含まれた水が収納部材を通過して外部に拡散することがなくなるので、樹脂製発泡部材１１１に水を補給することなく、繰り返し、保冷部材を使用することができる。また、水に薬剤（例えば抗菌剤）が含まれているので、保冷部材１１０やその周辺に抗菌効果が及び、保冷部材周辺の環境を良好に保つことができるし、あるいは又、樹脂製発泡部材１１１に吸収された水が腐敗することを防止することができる。
【００６５】
尚、以上に説明した実施例３の保冷部材を、実施例２の装着具、後述する実施例４、実施例５の装着具に適用することができる。
【実施例４】
【００６６】
実施例４も、実施例１の変形である。模式的な斜視図を図９に示すように、実施例４の装着具４にあっては、第２の辺１２から突出した第１突出部８０、第４の辺１４から突出した第２突出部９０、第１突出部８０の先端部８１に取り付けられた第１ベルト部８２、及び、第２突出部９０の先端部９１に取り付けられ、第１ベルト部８２と係止する第２ベルト部９２を、更に備えている。そして、第１突出部８０には、保冷部材あるいは保温部材を収納する第１ポケット部８３が設けられており、第２突出部９０には、保冷部材あるいは保温部材を収納する第２ポケット部９３が設けられている。第１突出部８０及び第２突出部９０を設けることによって、容易に、使用者の脇の下や胴部の側部を冷却し、あるいは又、保温することができる。尚、使用者の胸部において、第１ベルト部８２と第２ベルト部９２とを係止すればよい（止めればよい）。
【００６７】
尚、第１突出部８０及び第２突出部９０は、本体部１０と一体的に作製されていてもよいし、例えば本体部１０に縫い付けされていてもよいし、例えばファスナー等によって本体部１０に着脱自在に取り付けられていてもよい。ポケット部８３，９３の上端部は、開閉自在の開口部となっている。そして、これらの開口部の口の部分を開け閉めするために、広く周知の係止部材を取り付けてもよい。係る係止部材として、例えば、面ファスナー、スナップファスナー、ボタン、バネホック、スナップボタンを挙げることができる。また、第１ベルト部８２と第２ベルト部９２とを係止するためには、例えば、面ファスナー、スナップファスナー、ボタン、バネホック、スナップボタンを用いればよい。
【００６８】
実施例４にて説明した装着具４は、上述したとおり、実施例２にて説明した装着具２に適用することができるし、次に述べる実施例５の装着具５に適用することもできる。
【実施例５】
【００６９】
実施例５は、本発明の第２の態様に係る装着具に関する。実施例５の装着具の模式的な斜視図を図１０に示し、実施例５の装着具を構成する本体部と収納部の模式的な分解斜視図を図１１に示す。尚、図１１においては、ベルト取付部等の図示を省略している。
【００７０】
実施例５の装着具５も、保冷部材あるいは保温部材を装着するための装着具である。実施例５の装着具５は、
（Ａ）第１の辺１１、第２の辺１２、第３の辺１３及び第４の辺１４を備えた本体部１０、
（Ｂ）本体部１０の一方の面（表面、おもてめん）に備えられ、保冷部材あるいは保温部材を収納する第１収納部５２０及び第２収納部５３０、並びに、
（Ｃ）本体部１０の対向する第２の辺１２及び第４の辺１４のそれぞれに少なくとも２箇所、配置され、固定用のベルトを着脱自在に取り付けるためのベルト取付部１５（１５Ａ，１５Ｂ，１５Ｃ，１５Ｄ，１５Ｅ，１５Ｆ）、
から構成されている。尚、以上に説明した本体部１０及びベルト取付部１５の構成、構造は、実施例１にて説明した本体部１０及びベルト取付部１５と同じ構成、構造とすることができる。
【００７１】
そして、実施例５の装着具５にあっては、第１収納部５２０には、保冷部材を収納するための開閉自在の上部開口部５２１、及び、保温部材を収納するための開閉自在の下部開口部５２３が設けられており、第２収納部３０には、保冷部材あるいは保温部材を収納するための開閉自在の上部開口部５３１が設けられている。また、第１収納部５２０及び第２収納部５３０は、第１収納部５２０の上部開口部５２１が本体部１０の第１の辺１１に対向し、第２収納部５３０の上部開口部５３１が本体部１０の第１の辺１１に対向するように、且つ、第１収納部５２０の下部開口部５２３と第２収納部５３０の上部開口部５３１が対向するように並置されている。
【００７２】
更には、収納部５２０，５３０の内側には、収納部５２０，５３０の内部を仕切るための仕切部材２５，３５が取り付けられている。仕切部材２５，３５は面ファスナーから成り、仕切部材２５，３５は、収納部５２０，５３０の内側に縫い付けられている。仕切部材２５，３５によって第１収納部５２０、第２収納部５３０の内部を区画することにより、２つの保冷部材（図１０には図示せず））が収納部５２０，５３０内で移動することが無くなり、保冷部材を安定して収納することができる。
【００７３】
ここで、本体部１０は、ナイロン繊維から成る布材から作製されており、略矩形形状（より具体的には、長方形）を有する。即ち、本体部１０の外形形状は、４本の線分から構成されている。また、第１収納部５２０及び第２収納部５３０も、ナイロン繊維から成る布材から作製されている。そして、本体部１０の第２の辺１２及び第４の辺１４に沿って、収納部５２０，５３０の縁部を本体部１０に縫い合わせ、第１収納部５２０の下部を、下部開口部５２３の部分を除き、本体部１０に縫い合わせ、第２収納部５３０の下部を本体部１０に縫い合わせることで、収納部５２０，５３０は本体部１０に取り付けられている。開閉自在の開口部５２１，５３１には、開口部５２１，５３１の口の部分を開け閉めするために、面ファスナーを取り付けてもよいし、面ファスナーを取り付けなくともよい。
【００７４】
図１０に示した状態にあっては、固定用のベルトとしての肩ベルト（ショルダーベルト）４０（４０Ａ，４０Ｂ）が、実施例１と同様に、装着具５に着脱自在の取り付けられている。肩ベルト４０の構成、構造は、実施例１にて説明した肩ベルト４０の構成、構造と同様とすることができるので，詳細な説明は省略する。尚、肩ベルト４０Ａの両端部は、本体部１０に設けられたベルト取付部１５Ａ，１５Ｂに、外れ止め付きのフックによって着脱自在に取り付けられている。同様に、肩ベルト４０Ｂの両端部は、本体部１０に設けられたベルト取付部１５Ｄ，１５Ｅに、外れ止め付きのフックによって着脱自在に取り付けられている。
【００７５】
また、図１０及び図１１に示すように、使用者の頭部側となる本体部１０の辺に沿った部分（実施例５にあっては、本体部１０の第１の辺１１の部分）は、例えばプラスチック板から成る芯材１６によって補強されている。具体的には、本体部１０の第１の辺１１の部分は、芯材１６と重ねて縫い合わされている。尚、本体部１０の第２の辺１２及び第４の辺１４に対応する芯材１６の部分も、本体部１０及び第１収納部２０と重ねて縫い合わされているが、これに限るものではない。
【００７６】
装着具５には、更に、実施例１と同様に、ウェストベルト４１が着脱自在に取り付けられている。ウェストベルト４１の構成、構造は、実施例１にて説明したウェストベルト４１の構成、構造と同様とすることができるので，詳細な説明は省略する。尚、ウェストベルト４１の両端部は、本体部１０に設けられたベルト取付部１５Ｃ，１５Ｆに、外れ止め付きのフックによって着脱自在に取り付けられている。
【００７７】
図１０に示すように、第１収納部５２０は上部開口部５２１を備えており、第２収納部５３０は上部開口部５３１を備えている。これらの開口部５２１，５３１から、第１収納部５２０及び第２収納部５３０のそれぞれに、２つの保冷部材を収納する。一方、第１収納部５２０の下部開口部５２３から、二つ折りにした保温部材５３Ａを第１収納部５２０に収納し、第１収納部５２０の内部で保温部材５３Ａを広げる。また、第２収納部５３０の上部開口部５３１から保温部材５３Ｂを第２収納部５３０に収納する。取り外しは逆の手順で行うことができる。尚、保冷部材、保温部材５３Ａ，５３Ｂの構成、構造は、実施例１あるいは実施例３にて説明したと同様とすることができる。
【００７８】
以上、本発明を好ましい実施例に基づき説明したが、本発明はこれらの実施例に限定されるものではない。実施例において説明した装着具、保冷部材、保温部材を構成する各種の構成要素の構成、構造は例示であり、適宜、変更することができる。
【００７９】
例えば、実施例１及び実施例２において、本体部１０の第２の辺１２あるいは第４の辺１４が使用者の頭部側となる構成とすることもできる。この場合にあっては、本体部１０の第２の辺１２あるいは第４の辺１４の部分が芯材１６により補強されていればよい。また、実施例２においては、縫い合わせ部６１，６２が、本体部１０の第２の辺１２あるいは第４の辺１４と同方向に延びる構成とすればよい。
【００８０】
実施例２において説明した装着具２と同様に、実施例１において説明した装着具１においても、例えば肩ベルト４０が取り外された状態で使用されてもよい。また、実施例２において説明した装着具２においても、肩ベルト４０が取り付けられた構成とし、背負われて使用されてもよい。更には、肩ベルト及びウェストベルトを用いることなく、装着具を使用することもできる。また、上述した実施例は基本的に人体に用いる形態を説明したが、これに限るものではない。例えば、本発明の装着具を床に敷いて、犬や猫等の動物用保冷マットあるいは保温マットとして用いることもできる。
【図面の簡単な説明】
【００８１】
【図１】図１は、実施例１の装着具を説明するための模式的な斜視図である。
【図２】図２は、実施例１の装着具を構成する本体部と収納部の模式的な分解斜視図である。
【図３】図３の（Ａ）及び（Ｂ）は、芯材による効果を説明するための模式図である。
【図４】図４は、２つのヒーター部を備えた保温部材を装着具に収納する状態を示す模式的な斜視図である。
【図５】図５は、実施例２の装着具を説明するための模式的な斜視図である。
【図６】図６は、実施例２の装着具を構成する本体部と収納部の模式的な分解斜視図である。
【図７】図７は、実施例２の装着具の使用方法の一例を説明するための模式図である。
【図８】図８は、実施例３の保冷部材を組み立てる前の状態の模式図である。
【図９】図９は、実施例４の装着具を説明するための模式的な斜視図である。
【図１０】図１０は、実施例５の装着具を説明するための模式的な斜視図である。
【図１１】図１１は、実施例５の装着具を構成する本体部と収納部の模式的な分解斜視図である。
【符号の説明】
【００８２】
１，２・・・装着具、１０・・・本体部、１１・・・第１の辺、１２・・・第２の辺、１３・・・第３の辺、１４・・・第４の辺、１５，１５Ａ，１５Ｂ，１５Ｃ，１５Ｄ，１５Ｅ，１５Ｆ・・・ベルト取付部、２０・・・第１収納部、３０・・・第１収納部、２１，２３，３１，３３・・・開口部、２２，２４，３２，３４・・・面ファスナー、２５，３５・・・仕切部材、４０，４０Ａ，４０Ｂ・・・肩ベルト、４１，４２・・・ウェストベルト、５１・・・保冷部材、５２・・・保温部材、５３Ａ・・・第１のヒーター部、５３Ｂ・・・第２のヒーター部、５４・・・配線、５５・・・配線、６０・・・取付部材、６１，６２・・・縫い合わせ部、６３・・・隙間、７０・・・上着、８０，９０突出部、８１，９１突出部の先端部、８２，９２・・・ベルト部、８３，９３・・・ポケット部
【図１】
2009287141.tif 000004
【図２】
2009287141.tif 000005
【図３】
2009287141.tif 000006
【図４】
2009287141.tif 000007
【図５】
2009287141.tif 000008
【図６】
2009287141.tif 000009
【図７】
2009287141.tif 000010
【図８】
2009287141.tif 000011
【図９】
2009287141.tif 000012
【図１０】
2009287141.tif 000013
【図１１】
2009287141.tif 000014